(57)【特許請求の範囲】
【請求項１】
建物を建築するときのドアの施工方法であり、ドアはドア枠と、扉本体と、扉本体に取付ける化粧パネルとを備えており、扉本体の戸先側見込み面にはドア枠の内周側見込み面に対向するドア枠対向部と、ドア枠対向部よりも室外側に突出する室外側突出部とが設けてあり、ドア枠対向部にドア枠に設けたデッドボルトを受けるデッドボルト受けが設けてあり、室外側突出部の見込み面に室外側ハンドルが取付けてあり、扉本体は少なくともドア枠との間を水密にして閉鎖可能であり、内装工事前又は内装工事中の建物にドア枠と扉本体を取付け、内装工事が終了した後、扉本体の戸先側見込み面に設けてある室外側突出部の室外側面に化粧パネルを取付けることを特徴とするドアの施工方法。
【請求項２】
ドアは化粧パネル保持枠を備え、化粧パネル保持枠は化粧パネルの周縁に嵌合する嵌合部を有し、化粧パネルを化粧パネル保持枠に嵌め込んだものを建築現場に搬入して、化粧パネル保持枠を扉本体に取付けることを特徴とする請求項１に記載のドアの施工方法。
【請求項３】
建物の施工主又は設計者がパソコンを操作し、インターネット回線を通じてサッシメーカのホームページにアクセスして、サッシメーカのホームページ上でドア枠及び扉本体を発注し、サッシメーカのホームページに掲載されている各種の化粧パネルメーカ又は各種のデザイナーを選択することにより化粧パネルメーカ又はデザイナーのホームページに接続して、デザイナーのホームページ又は化粧パネルメーカのホームページ上で化粧パネルを発注し、デザイナー又は化粧パネルメーカが受注した化粧パネルを建築現場に搬入することを特徴とする請求項１又は２に記載のドアの施工方法。
【請求項４】
建物の施工主又は設計者がパソコンを操作し、インターネット回線を通じてサッシメーカのホームページにアクセスして、サッシメーカのホームページ上でドア枠及び扉本体を発注し、インターネット回線を通じてデザイナーのホームページ又は化粧パネルメーカのホームページにアクセスして化粧パネルを発注し、デザイナー又は化粧パネルメーカが受注した化粧パネルを建築現場に搬入することを特徴とする請求項１又は２に記載のドアの施工方法。
【請求項５】
化粧パネルは、各種デザインや材質の化粧パネルから選択したものであることを特徴とする請求項１〜４の何れか一項に記載のドアの施工方法。
【発明の詳細な説明】
【技術分野】
【０００１】
本発明は、ドアの施工方法に関する。
【背景技術】
【０００２】
従来、建物を建築するときのドアの施工は、内装工事前や内装工事中の建物にドア枠と、化粧パネルを取付けたドア扉を取付けていた。
また、ドアの発注はサッシメーカに行い、サッシメーカは材質やデザインが異なる化粧パネルのドア扉（既製品）を複数用意して、ユーザ（建物の施工主又は設計者）はサッシメーカが用意している既製品の中からドア扉を選択していた。
一方、特許文献１には、ドア扉を扉本体と、扉本体と別体の化粧パネルで構成し、扉本体に化粧パネルを取付けてドア扉を組み立てることが開示されている。
【０００３】
【特許文献１】特許第３３７８９８５号公報
【発明の開示】
【発明が解決しようとする課題】
【０００４】
しかし、建築工事において、内装工事を始める前や内装工事中の建物にドアを施工すると、内装工事品の搬入品や工事職人がドア口から出入りする時に、搬入品や工事職人がドア扉の化粧パネルに当って、化粧パネルを損傷するおそれがあった。
これに対して、特許文献１では、扉本体と化粧パネルとを別体にして組み立てているが、化粧パネルの取付け時期について言及していないので、上述のような建築工事では、化粧パネルを損傷するおそれがある。
また、ユーザは、サッシメーカが予め用意してある既製品の中からドア扉を選択しなければならないので、選択できる化粧パネルの素材やデザインに制限があった。
そこで、本発明は、建物の建築工事において、化粧パネルの損傷を防止でき且つ化粧パネルの素材やデザインに選択の幅の広いドアの施工方法の提供を目的とする。
【課題を解決するための手段】
【０００５】
請求項１に記載の発明は、建物を建築するときのドアの施工方法であり、ドアはドア枠と、扉本体と、扉本体に取付ける化粧パネルとを備えており、扉本体の戸先側見込み面にはドア枠の内周側見込み面に対向するドア枠対向部と、ドア枠対向部よりも室外側に突出する室外側突出部とが設けてあり、ドア枠対向部にドア枠に設けたデッドボルトを受けるデッドボルト受けが設けてあり、室外側突出部の見込み面に室外側ハンドルが取付けてあり、扉本体は少なくともドア枠との間を水密にして閉鎖可能であり、内装工事前又は内装工事中の建物にドア枠と扉本体を取付け、内装工事が終了した後、扉本体の戸先側見込み面に設けてある室外側突出部の室外側面に化粧パネルを取付けることを特徴とする。
【０００６】
請求項２に記載の発明は、請求項１に記載の発明において、ドアは化粧パネル保持枠を備え、化粧パネル保持枠は化粧パネルの周縁に嵌合する嵌合部を有し、化粧パネルを化粧パネル保持枠に嵌め込んだものを建築現場に搬入して、化粧パネル保持枠を扉本体に取付けることを特徴とする。
【０００７】
請求項３に記載の発明は、請求項１又は２に記載の発明において、建物の施工主又は設計者がパソコンを操作し、インターネット回線を通じてサッシメーカのホームページにアクセスして、サッシメーカのホームページ上でドア枠及び扉本体を発注し、サッシメーカのホームページに掲載されている各種の化粧パネルメーカ又は各種のデザイナーを選択することにより化粧パネルメーカ又はデザイナーのホームページに接続して、デザイナーのホームページ又は化粧パネルメーカのホームページ上で化粧パネルを発注し、デザイナー又は化粧パネルメーカが受注した化粧パネルを建築現場に搬入することを特徴とする。
請求項４に記載の発明は、請求項１又は２に記載の発明において、建物の施工主又は設計者がパソコンを操作し、インターネット回線を通じてサッシメーカのホームページにアクセスして、サッシメーカのホームページ上でドア枠及び扉本体を発注し、インターネット回線を通じてデザイナーのホームページ又は化粧パネルメーカのホームページにアクセスして化粧パネルを発注し、デザイナー又は化粧パネルメーカが受注した化粧パネルを建築現場に搬入することを特徴とする。
請求項５に記載の発明は、請求項１〜４の何れか一項に記載の発明において、化粧パネルは、各種デザインや材質の化粧パネルから選択したものであることを特徴とする。
【発明の効果】
【０００８】
請求項１に記載の発明によれば、化粧パネルは内装工事終了後に扉本体に取付けるから、内装工事品の搬入品や内装工事の職人がドア口から出入りする時に、搬入品や工事職人がドア扉の化粧パネルに当たることがなく、建築工事中にドアの化粧パネルが損傷するのを防止できる。
扉本体はドア枠との間を水密にして閉鎖できると共に施錠可能であるから、内装工事前又は内装工事中に建物にドア枠と扉本体を取付けることにより、建築工事中の建物内にドア口から風雨が入り込むのを防止できると共にドアを施錠することにより工事中における防犯性を保持できる。
化粧パネルを扉本体と別体にして扉本体に取付ける構成であるから、サッシメーカが用意するドア扉とは別に、素材やデザインが異なる化粧パネルを用いることができるから、化粧パネルの素材やデザインの選択の幅を広くできる。
【０００９】
請求項２に記載の発明によれば、請求項１に記載の作用効果を奏すると共に、化粧パネルに扉本体に取付ける為の加工が不要であるから、ドア枠及び扉本体のメーカ（サッシメーカ）とは別の化粧パネルメーカが製造した化粧パネルであっても、化粧パネルの形状と寸法のみを規定のものとするだけで、扉本体に容易に取付けできる。
【００１０】
請求項３に記載の発明よれば、請求項１又は２に記載の作用効果を奏すると共に、施工主や設計士のパソコンから、ドア枠及び扉本体をインターネットを通じてサッシメーカ（ドア枠及び扉本体のメーカ）に発注でき、化粧パネルはサッシメーカを介在しないで、各種デザイナーや化粧パネルメーカに発注できる。
各種のデザイナーや各種の化粧パネルメーカに化粧パネルを発注できるので、化粧パネルのデザインや素材についてユーザ（建物の施工主又は設計者）の嗜好の幅に広く対応できる。
サッシメーカのホームページが各種デザイナーや各化粧パネルメーカのホームページにリンクしているので、デザイナーや化粧パネルメーカのホームページへのアクセスが容易にできる。
請求項４に記載の発明よれば、請求項１又は２に記載の作用効果を奏すると共に、施工主や設計士のパソコンから、ドア枠及び扉本体をインターネットを通じてサッシメーカ（ドア枠及び扉本体のメーカ）に発注でき、化粧パネルはサッシメーカを介在しないで、各種デザイナーや化粧パネルメーカに発注できる。
各種のデザイナーや各種の化粧パネルメーカに化粧パネルを発注できるので、化粧パネルのデザインや素材についてユーザ（建物の施工主又は設計者）の嗜好の幅に広く対応できる。
請求項５に記載の発明よれば、請求項１〜４の何れか一項に記載の作用効果を奏すると共に、ユーザは予め用意された各種デザインや材質の中から好みの化粧パネルを選択すればよいので、化粧パネルの発注が容易にできる。
【発明を実施するための最良の形態】
【００１１】
以下に、添付図面を参照して本発明の実施の形態を説明する。図１は本発明の実施の形態に係るドアの施工方法を示す図であり、（１）は内装工事前又は内装工事中のドアの施工を示し、上段は室外側から見た斜視図であり、下段は上段に示すＣ―Ｃ断面図であり、（２）及び（３）は内装工事終了後のドア施工を示す図であり、上段は室外側から見た斜視図であり、下段は上段に示すＣ―Ｃ断面図である。図２は、本発明の実施の形態により施工したドアを図４（ａ）に示すＢ―Ｂ位置で切断した断面図である。図３は本発明の実施の形態により施工したドアを図４（ａ）に示すＡ―Ａ位置で切断した断面図である。図４は、本発明の実施の形態により施工したドアであり、（ａ）は室外側から見た正面図であり、（ｂ）は室内側から見た正面図である。図５は、インターネットによるドアの発注方法を示す図である。
図２及び図４に示すように、本実施の形態に係るドア１は親子ドアであり、ドア枠３には子扉５と親扉（ドア扉）７とが設けられている。子扉５は必要に応じてドア口を広げる為にあけるものであるから、親扉７がドア口を開閉するドア扉として機能を有するものであるから本発明に係るドア扉であり、子扉５を含むドア枠３が本発明に係るドア枠である。
ドア枠３は建物の躯体２に固定してあり、内周にはシール部材８が設けてあり、親扉７との間の水密を図っている。
親扉（以下、「ドア扉」という）７は、扉本体９と、化粧パネル１１と、化粧パネル保持枠１３とを備えている。
扉本体９は、ヒンジ１５によりドア枠３に取付けてあり、ドア枠３と子扉５との間のドア口１２を開閉するようになっている。扉本体９には、断熱パネル１７が取付けあり、断熱パネル１７が扉本体９の全面を覆っている。
扉本体９の戸先側には、室外側に室外側ハンドル１９が設けてあり、室内側に室内側ハンドル２１が設けてあると共に、デッドボルト受け２２が設けてあり、子扉５に設けてある錠孔２３及びサムターン２５の操作により子扉５から突設したデッドボルト２７を受けてドア扉９を施錠するようになっている。
扉本体９の外周には室外側面に化粧パネル保持枠１３との係合部２９が設けてあり、化粧パネル保持枠１３は、係合部２９に係合して室外側ハンドル１９を取付けるねじ３１で扉本体９に固定してある。
化粧パネル保持枠１３は、化粧パネル１１の周縁に嵌合する嵌合部３３と、扉本体９との係合部２９に係合する被係合部３５とを有しており、被係合部３５は扉本体９の係合部２９に着脱自在に係合している。
化粧パネル保持枠１３の嵌合部３３は、扉本体９のヒンジ１５及び室外側ハンドル１９の扉本体９との取付部３７よりも室外側に位置しており、化粧パネル１１及び化粧パネル保持枠１３でヒンジ１５及び室外側ハンドル１９の取付部３７を室外側から遮蔽している。
【００１２】
ここで、図５を参照して、建物に施工するドア１の発注について説明する。ドア枠３及び扉本体９のメーカであるサッシメーカは、インターネット回線からアクセスするホームページをもっており、ホームページ中のドアのページ４０には、カスタムドア４１、オリジナルドアコンペ４３、ブランドショップ４５、基本素材４７の欄が設けてある。また、サッシメーカのホームページには、図５に示すドアのページ４０の他にドアの収まり情報のページや受注ページが設けてあり、施主や設計士のパソコン５１、５２からサッシメーカにドア枠３及び扉本体９の受注がインターネット上でできるようになっている。
カスタムドア４１の欄は、オリジナルドアの施工例を表示してある。オリジナルドアコンペ４３の欄は、一般、大学、デザイナー等によるデザインコンペを行うものである。
ブランドショップ４５の欄は、化粧パネル１１のデザインについて、好みのブランドショップのデザイナーがデザインした化粧パネルを選んだり、好みのブランドショップのデザイナーにデザインと共に化粧パネルを発注するものである。例えば、キャラクタをクリックするとキャラクタを主体とするデザインをするデザイナーのホームページに接続して、そのデザイナーのホームページでは、各種のキャラクタを主体にしたデザインを施した化粧パネル１１を表示し、その中からパソコンのマウスでクリックして選択できるようになっている。また、そのデザイナーのホームページ上でキャラクタを主体にしたデザインの化粧パネルの発注ができるようになっている。
基本素材４７の欄は、化粧パネルに用いる素材を選ぶ欄であり、サッシメーカとは異なる素材メーカ（化粧パネルメーカ）を選択するものである。即ち、基本素材４７の欄にある各種素材メーカの欄をパソコンのマウスでクリックすると、その素材メーカのホームページにリンクして接続し、各種素材メーカのホームページ上で表示されている各種素材の化粧パネルの中から好みの化粧パネル選んでその素材メーカに発注すると、素材メーカのパソコン４９が化粧パネルの発注情報を受けるようになっている。
もちろん、施主のパソコン５１と設計士のパソコン５２とは、サッシメーカのホームページ４０からリンクしないで、各素材メーカのパソコンのホームページに直接アクセスして、素材メーカのホームページ上で化粧パネルを発注しても良い。
ドア枠３及び扉本体９は、サッシメーカが受注したものであり、ドア枠３及び扉本体９が有する水密性能、断熱性やドアロック等のドアとして本質的機能や品質はサッシメーカが保証する。また、化粧パネル保持枠１３は扉本体９に付属するものであるから、化粧パネル保持枠１３についてもサッシメーカがその機能や品質を保証する。
化粧パネル１３は、サッシメーカとは別に化粧パネルメーカ又はデザイナーが受注したものであり、化粧パネルの品質は受注した化粧パネルメーカ又はデザイナーが保障する。
【００１３】
次に、本実施の形態に係るドアの施工方法及び作用効果について説明する。
建物の新築工事において、ドアの施工は、図１の（１）に示すように、内装工事前又は内装工事中に建物の躯体２にドア枠（子扉５を含む）３を取付け、ドア枠３に扉本体９を取付ける。尚、ドア枠３及び扉本体９は、サッシメーカから代理店を通じて工事現場に搬入される。
内装工事が終了した後、図１の（２）に示すように、化粧パネルメーカ又はデザイナーから代理店に化粧パネル１１を搬入し、代理店では化粧パネル保持枠１３の嵌合部３３に化粧パネル１１の周縁を嵌合して、化粧パネル保持枠１３に化粧パネル１１を取付けて建築現場に搬入する。
建築現場では、図１の（３）に示すように、化粧パネル保持枠１３を化粧パネル１１と共に扉本体９に取付ける。化粧パネル保持枠１３の扉本体９への取付けは、図２に示すように、化粧パネル保持枠１３の被係合部３５を扉本体９の係合部２９に係合し、室外側ハンドル１９を止めるねじ３１で扉本体９に固定する。
尚、化粧パネルは、化粧パネルメーカ又はデザイナーから建築現場に直接搬入して、建築現場で化粧パネル１１に化粧パネル保持枠１３を取付けて扉本体９に固定するものであっても良い。
【００１４】
本実施の形態によれば、化粧パネル１１は、建築工事の内装工事終了後に扉本体９に取付けるから、建築工事中にドア口１２から内装工事品を搬入したり、工事職人がドア口１２から出入りする時に、内装工事品や工事職人がドアの化粧パネル１１に当たることがなく、化粧パネルが損傷することを防止できる。
扉本体９は、ドア枠３との間をシール部材８で水密にして閉鎖可能であるから扉本体９を閉めることにより建築工事中の建物内に風雨が入り込むのを防止できると共に扉本体９をデッドボルト２２により施錠できるので工事中における防犯性を保持できる。
化粧パネル１１を扉本体９と別体にして扉本体９に取付ける構成であるから、サッシメーカが用意するドア扉とは別に、素材やデザインが異なる化粧パネル１１を用いることができるから、化粧パネル１１の素材やデザインの選択の幅を広くできる。
化粧パネル１１は化粧パネル保持枠１３に嵌合し、化粧パネル保持枠１３を扉本体９に取付けているので、化粧パネル１１に扉本体９に取付ける為の加工が不要であるから、ドア枠３及び扉本体９のメーカ（サッシメーカ）とは別の化粧パネルメーカが製造した化粧パネル１１であっても、化粧パネル１１の形状と寸法のみを規定のものとするだけで、扉本体９に容易に取付けできる。
化粧パネル保持枠１３には嵌合部３３を設けて、化粧パネル１１を嵌合部３３に着脱自在に嵌合しているので、リホーム時や必要に応じて化粧パネル１１の交換が容易にできる。
ドア枠３及び扉本体９は、施工主や設計士のパソコン５１、５２操作により、インターネットを通じてサッシメーカに容易に発注でき、化粧パネル１１は、サッシメーカを介在しないで化粧パネルメーカのパソコン４９にアクセスして化粧パネルメーカに直接発注できる。
各種のデザイナーに化粧パネル１１を発注したり、各種の化粧パネルメーカに化粧パネル１１を発注できるので、化粧パネル１１のデザインや素材についてユーザ（建物の施工主又は設計者）の嗜好の幅に広く対応できる。
サッシメーカのホームページが各種デザイナーや各化粧パネルメーカのホームページにリンクしているので、デザイナーや化粧パネルメーカのホームページへのアクセスが容易にできる。
ユーザ（建物の施工主又は設計者）はサッシメーカのホームページ４０に掲載されている化粧パネルを選択したり、各デザイナーのホームページや各化粧パネルメーカのホームページに掲載されている各種デザインや材質の化粧パネルを選択して発注することもできるので、化粧パネルの発注が容易にできる。
【００１５】
本発明は、上述した実施の形態に限らず、本発明の要旨を逸脱しない範囲で種々変形可能である。
上術した実施の形態では、親子ドアを例に説明したが、片開きドアや両開きドアであっても良い。
また、扉本体９は、断熱材１７を設けないものであっても良い。
請求項１及び２に記載の発明においては、化粧パネル１１は、サッシメーカ（ドア枠及び扉本体のメーカ）が有する既成品やオリジナル品であって、サッシメーカが受注したものであっても良いし、施主が独自にデザインし又は製作したもの、例えば、子供の手型や貝殻等を焼付けた陶板を貼り付けたものや、旧家の蔵戸をそのまま用いたものや、車のドアやナンバープレートをデザインしたものや、旧家の箪笥の引き出し面を貼り付けたもの等であっても良い。
【図面の簡単な説明】
【００１６】
【図１】本発明の実施の形態に係るドアの施工方法を示す図であり、（１）は内装工事前又は内装工事中のドアの施工を示し、上段は室外側から見た斜視図であり、下段は上段に示すＣ―Ｃ断面図であり、（２）及び（３）は内装工事終了後のドア施工を示す図であり、上段は室外側から見た斜視図であり、下段は上段に示すＣ―Ｃ断面図である。
【図２】本発明の実施の形態により施工したドアを図４（ａ）に示すＢ―Ｂ位置で切断した断面図である。
【図３】本発明の実施の形態により施工したドアを図４（ａ）に示すＡ―Ａ位置で切断した断面図である。
【図４】本発明の実施の形態により施工したドアであり、（ａ）は室外側から見た正面図であり、（ｂ）は室内側から見た正面図である。
【図５】インターネットによるドアの発注方法を示す図である。
【符号の説明】
【００１７】
１    ドア
３    ドア枠
９    扉本体
１１  化粧パネル
１３  化粧パネル保持枠
３３  嵌合部
４０  ドアのページ（サッシメーカのホームページ）
４９  素材メーカ（化粧パネルメーカ）のパソコン
【図１】
0005313551.tif 000002
【図２】
0005313551.tif 000003
【図３】
0005313551.tif 000004
【図４】
0005313551.tif 000005
【図５】
0005313551.tif 000006